(57)【要約】【課題】ワンピーススイングを効果的に会得することができ、アプローチショットの練習に効果的なゴルフ練習具を得る。【解決手段】ひじ関節近くの上腕に巻き付けて装着することができ巻き付け長さを調節可能な腕装着ベルト１と、腕装着ベルト１とクラブヘッドに相当する部分３との間に連結される引っ張りベルト２と、先端にクラブヘッドに相当する部分３が装着されたクラブシャフトに相当する部分４と、を有してなり、クラブシャフトに相当する部分４の基端部にはグリップ５が装着され、腕装着ベルト１をひじ関節近くの上腕に巻き付け、グリップ５を握った状態で、引っ張りベルト２を緊張させることができる。【選択図】図１
2015037460.tif 000002
【特許請求の範囲】
【請求項１】
ひじ関節近くの上腕に巻き付けて装着することができ巻き付け長さを調節可能な腕装着ベルトと、
上記腕装着ベルトとクラブヘッドに相当する部分との間に連結される引っ張りベルトと、
先端に上記クラブヘッドに相当する部分が装着されたクラブシャフトに相当する部分と、を有してなり、
上記クラブシャフトに相当する部分の基端部にはグリップが装着され、
上記腕装着ベルトをひじ関節近くの上腕に巻き付け、上記グリップを握った状態で、上記引っ張りベルトを緊張させることができるゴルフ練習具。
【請求項２】
腕装着ベルトは、折り返すことによって生じる重合部を互いに結合する平面ファスナーを有するとともに、折り返し位置を調節することにより巻き付け長さを調節可能である請求項１記載のゴルフ練習具。
【請求項３】
引っ張りベルトは、長さ調節リングを有する請求項１又は２記載のゴルフ練習具。
【請求項４】
上記引っ張りベルトを緊張させた状態で、インパクト位置を中心とする前後にスイング可能である請求項１、２または３記載のゴルフ練習具。
【請求項５】
上記クラブヘッドに相当する部分、上記クラブシャフトに相当する部分および上記グリップは本物のゴルフクラブのヘッド、シャフトおよびグリップであり、引っ張りベルトの一端が上記ヘッドに連結されている請求項１乃至４のいずれかに記載のゴルフ練習具。
【発明の詳細な説明】
【技術分野】
【０００１】
本発明は、ゴルフクラブの正しいスイング、特に、インパクト位置を中心とする前後一定範囲内におけるいわゆるワンピーススイングを身につけることができるゴルフ練習具に関するものである。
【背景技術】
【０００２】
ゴルフのスイングにおいて、インパクト位置を中心とする前後約９０度の範囲内では、体幹の回転と一体的に腕が振られるいわゆるワンピーススイングが実行されることが望ましい。ワンピーススイングはボディターンスイングといわれることもある。そこで、本明細書でワンピーススイングとは、ボディターンスイングも含むものとする。
【０００３】
ワンピーススイングが実行されると、スィートスポットでボールをとらえる確率が向上し、方向性が安定する。また、体幹の運動エネルギーが効率よくボールに伝わり、飛距離も伸びる。腕の振りに体幹の回転が伴わないいわゆる手打ちになると、ボールに対するクラブヘッドの打点がばらつき、スィートスポットでのミート率が低下して方向性が不安定になり、飛距離も伸びない。特に、アプローチショットでは、インパクト位置を中心とする前後約９０度の範囲内でワンピーススイングを実行できることが必須である。
【０００４】
ゴルフスイングの練習用具として各種提案されている。例えば、上体に装着される拘束部と、この拘束部の上体正面から伸びて飛球線寄りの手で引っ張られた状態で先端側が握られる伸縮弾性体とからなるゴルフスイング練習用具がある（特許文献１参照）。このゴルフスイング練習用具は、腕が上記伸縮弾性体を前方に引っ張った状態で緩まないようにしてスイングするものである。スイングをリードすべき飛球線寄りの腕の正しい動きとこの腕の強化を図り、肩の大きな回転ができるようにすることを目的としている。
【０００５】
また、本出願人は、上腕に巻き付ける腕装着ベルトと、腕装着ベルトに装着される引っ張りベルトと、引っ張りベルトを利き腕の手の甲側に位置させて人差し指と小指を挿入することができる指挿入部とを有するゴルフ練習具を提案した（特許文献２参照）。このゴルフ練習具は、引っ張りベルトに生じる引っ張り力で利き腕の手の甲が手首から前腕の外側面側に向かって屈曲した状態を維持することができるようにしたものである。利き腕の脇を締めてボディターンによるスイングを身につけることを目的としている。
【先行技術文献】
【特許文献】
【０００６】
【特許文献１】実用新案登録第３０２０８４３号公報
【特許文献２】特開２０１２−６１０３６号公報
【発明の概要】
【発明が解決しようとする課題】
【０００７】
特許文献１記載の発明も、特許文献２記載の発明も、正しいゴルフスイングを体得するための練習具に関するものであり、それぞれに特有の構成を備えている。しかし、上記何れの発明も、ゴルフスイングの基本であるワンピーススイングあるいはボディターンスイングを会得するには不十分である。特に、スィング幅の小さいアプローチショットをするときのワンピーススイングを会得するには不十分で、さらなる工夫が必要である。
【０００８】
本発明は、ワンピーススイングを効果的に会得することができ、特に、アプローチショットの練習に効果的なゴルフ練習具を提供することを目的とする。
【課題を解決するための手段】
【０００９】
本発明に係るゴルフ練習具は、
ひじ関節近くの上腕に巻き付けて装着することができ巻き付け長さを調節可能な腕装着ベルトと、
上記腕装着ベルトとクラブヘッドに相当する部分との間に連結される引っ張りベルトと、
先端に上記クラブヘッドに相当する部分が装着されたクラブシャフトに相当する部分と、を有してなり、
上記クラブシャフトに相当する部分の基端部にはグリップが装着され、
上記腕装着ベルトをひじ関節近くの上腕に巻き付け、上記グリップを握った状態で、上記引っ張りベルトを緊張させることができる
ことを最も主要な特徴とする。
【発明の効果】
【００１０】
腕装着ベルトを片方の腕のひじ関節近くの上腕に巻き付けて装着し、グリップを握り、クラブヘッドに相当する部分がインパクト直前位置にありかつ引っ張りベルトが緊張した状態でセットアップする。引っ張りベルトを緊張させた状態を保ちながらバックスィングする。バックスィングが所定の回転角度以上になると腕がたたまれることによって引っ張りベルトの緊張がゆるみ、トップ位置で切り返されダウンスィングに移行する。上記所定の回転角度まで戻ると再び引っ張りベルトが緊張する。引っ張りベルトを緊張させた状態を保ちながらインパクトを迎え、さらにフォロースルーへと移行する。フォロースルーが所定の回転角度以上になると腕がたたまれることによって引っ張りベルトの緊張がゆるみ、フィニッシュまで回転していく。
【００１１】
インパクト位置を中心とする前後の所定の回転範囲内ではいわゆるワンピーススィングが実行されることによって引っ張りベルトが緊張した状態が保たれる。換言すれば、ワンピーススィングが実行されることによって引っ張りベルトの緊張状態が保たれることになる。したがって、インパクト位置を中心とする前後の所定の範囲内で引っ張りベルトの緊張状態を保つことにより、ワンピーススィングを会得することができるとともに、スィング全体を通して正しいスィング軌道を会得することができる。
【図面の簡単な説明】
【００１２】
【図１】本発明に係るゴルフ練習具の実施例を示す正面図である。
【図２】上記実施例の一部を拡大して示す側面図である。
【図３】上記実施例の使用態様であるセットアップの例を示す正面図である。
【図４】上記実施例の別の使用態様におけるバックスィングの途中を示す正面図である。
【図５】上記別の使用態様におけるフォロースルーの途中を示す正面図である。
【発明を実施するための形態】
【００１３】
以下、本発明に係るゴルフ練習具の実施例を、図面を参照しながら説明する。
【００１４】
（構成）
図１、図２に示すように、この実施例に係るゴルフ練習具は、大きく分けて腕装着ベルト１と、引っ張りベルト２を有してなる。腕装着ベルト１は、使用者のひじ関節近くの上腕に巻き付けて装着することができ、かつ、使用者の上腕の太さに応じて巻き付け長さを調節可能に、以下のように構成されている。
【００１５】
腕装着ベルト１は例えば布製の細長いベルトで、一端部を折り返しリング１１に挿入して折り返し、折り返すことによって生じた重合部を縫い合わせることにより、上記折り返しリング１１が腕装着ベルト１に連結されている。折り返しリング１１は、金属製の棒を長方形の枠形に折り曲げて形成され、枠形の長辺の一方が腕装着ベルト１の一端部に連結されている。枠形の折り返しリング１１には腕装着ベルト１の他端部を挿入し、折り返しリング１１の長辺の他方で折り返すことができ、これによって重合部が形成される。この重合部の相対向する面には平面ファスナー１２が縫い付けられていて、双方の平面ファスナー１２同士を絡み合わせることにより、腕装着ベルト１を環状にすることができる。平面ファスナー１２相互の重合位置は任意に設定可能で、腕装着ベルト１が形成する円の直径を調節することができる。
【００１６】
引っ張りベルト２の一端部は腕装着ベルト１への連結部１３となっている。図２に示すように、上記連結部１３は、腕装着ベルト１に巻き付けるようにして折り返され、折り返すことによって生じた重合部がともに長さ調整リング１４に通されることにより腕装着ベルト１に連結されている。長さ調整リング１４は四角形の枠形に構成されるとともに、上記枠形を二分する桁１４１（図１参照）を有する周知の形状のものである。引っ張りベルト２の上記重合部は、長さ調整リング１４の上記桁１４１で区分される一方の枠形の空間に通され、かつ、桁１４１を跨いで桁１４１で区分される他方の枠形の空間から引き出される。長さ調整リング１４の位置における引っ張りベルト２の重合位置を互いにずらすことによって引っ張りベルト２の長さを調節することができる。
【００１７】
引っ張りベルト２の他端は、クラブヘッドに相当する部分３に連結リング１６を介して連結することができる。したがって、引っ張りベルト２は腕装着ベルト１とクラブヘッドに相当する部分３との間に連結される。クラブヘッドに相当する部分３の上端縁に近い位置において引っ張りベルト２の他端が連結されている。連結リング１６は金属製で、例えばカラビナを使用するとよい。クラブヘッドに相当する部分３は、クラブヘッドのネックに相当する部分がクラブシャフトに相当する部分４の先端に装着されている。クラブシャフトに相当する部分４の基端部にはグリップ５が装着されている。
【００１８】
ここまで、クラブヘッドに相当する部分３、クラブシャフトに相当する部分４、というように、ゴルフ練習具専用のゴルフクラブを想定して説明した。しかし、本物のクラブヘッド、本物のクラブシャフトおよび本物のグリップを用いた本物のゴルフクラブであってもよい。図示の実施例では、クラブヘッドに相当する部分３に、連結リング１６を装着するための孔を設ける必要がある。しかし、例えば、クラブヘッドに被せるカバーに引っ張りベルト２を連結すれば、クラブヘッドに相当する部分３に孔を設ける必要はなく、本発明に係るゴルフ練習具を本物のクラブに適用することができる。
【００１９】
（使用方法）
以上のように構成されているゴルフ練習具の使用方法を、図３乃至図５を併せて参照しながら説明する。図３は上記実施例に係るゴルフ練習具の腕装着ベルト１を右腕に装着した状態を、図４、図５は腕装着ベルト１を左腕に装着した状態を示している。図３はセットアップ（アドレス）の様子を、図４はバックスィングの途中の様子を、図５はフォロースルーの途中の様子を示している。
【００２０】
図３に示すように、使用者の左右任意の腕のひじ関節６近くの上腕８に腕装着ベルト１を巻き付けて装着する。腕装着ベルト１を装着する前に、図１に示す重合部双方の平面ファスナー１２を引き剥がして、腕装着ベルト１で形成されるリングの径を大きくしてこれに手を通し、前腕７から上腕８へと移動させる。次に引っ張りベルト２を前腕７の前側に位置させ、腕装着ベルト１をひじ関節６近くの上腕８に位置させる。さらに、腕装着ベルト１の先端部を引っ張りながら折り返しリング１１における折り返し部位置をずらし、腕装着ベルト１を引き締める。腕装着ベルト１が適度の引き締め力で上腕８に引き締められたら、上記重合部双方の平面ファスナー１２を互いに圧着し絡み合わせて上記重合部双方を連結する。このようにして、腕装着ベルト１は、使用者の体格などに応じて巻き付け長さを調節することができる。
【００２１】
次に、グリップ５をそれぞれの使用者の手法に従って握り（グリップし）、ボールを打つときと同様にセットアップする。セットアップ状態では、クラブヘッドに相当する部分３がインパクト直前位置と同じ位置にある。また、セットアップ状態では、引っ張りベルト２が緊張するように引っ張りベルト２の長さを予め調節し、かつ、グリップ位置で微調整する。
【００２２】
次に、引っ張りベルト２を緊張させた状態を保ちながらバックスィングする。図４はバックスィングの途中の様子を示している。引っ張りベルト２は緊張上体が保たれているので、体幹の捻転と一体となって腕が振られるワンピーススィングが行われている。バックスィングが所定の回転角度以上、例えば、９０度以上になると、腕がたたまれることによって引っ張りベルト２の緊張が緩む。
【００２３】
バックスィングのトップ位置で切り返されダウンスィングに移行する。上記所定の回転角度まで戻ると再び引っ張りベルト２が緊張する。引っ張りベルト２を緊張させた状態を保ちながらインパクトを迎え、さらにフォロースルーへと移行する。図５はフォロースルーの途中の様子を示している。引っ張りベルト２は緊張状態が保たれているので、体幹の捻転と一体となって腕が振られるワンピーススィングが行われている。フォロースルーが所定の回転角度以上になると腕がたたまれることによって引っ張りベルト２の緊張がゆるみ、フィニッシュまで回転していく。
【００２４】
本発明に係るゴルフ練習具を使用することにより、インパクト位置を中心とする前後の所定の回転範囲内ではいわゆるワンピーススィングが実行され、引っ張りベルト２を緊張した状態に保たつことができる。換言すれば、ワンピーススィングが実行されることによって引っ張りベルト２の緊張状態が保たれることになる。したがって、インパクト位置を中心とする前後の所定の範囲内で引っ張りベルト２の緊張状態を保つことにより、ワンピーススィングを会得することができるとともに、スィング全体を通して正しいスィング軌道を会得することができる。結果として、スィング軌道の安定化、ミート率の向上、ミスショットの減少、方向性および飛距離の安定化、飛距離の向上など、様々な効果を得ることができる。特に、アプローチショットは精度の高いミートが要求され、ワンピーススィングの重要度が高まるため、アプローチショットの練習に効果的である。
【００２５】
本発明に係るゴルフ練習具は、利き腕に関わりなく、右腕にも左腕にも装着して練習することができ、何れにしても上記の効果を得ることができる。
【符号の説明】
【００２６】
１    腕装着ベルト
２    引っ張りベルト
３    クラブヘッドに相当する部分
４    クラブシャフトに相当する部分
５    グリップ
６    ひじ関節
７    前腕
８    上腕
１１    折り返しリング
１２    平面ファスナー
１３    連結部
１４    長さ調節リング
１５    重合部
１６    連結リング
【図１】
2015037460.tif 000003
【図２】
2015037460.tif 000004
【図３】
2015037460.tif 000005
【図４】
2015037460.tif 000006
【図５】
2015037460.tif 000007